(57)【要約】【課題】オペレータに大きな負担を与えることなく、印刷後のスタッカテーブルに積載された用紙を素早く取出し、運搬できる連続紙印刷装置のスタッカを提供すること。【解決手段】印刷後に連続紙を積載するスタッカテーブルと、スタッカテーブルを上下に移動させる昇降機構を有する連続紙印刷装置のスタッカにおいて、スタッカテーブルをスタッカ本体より分離できる機構を設け、用紙運搬用トレイとしてオペレータが持ち運べるたことを特徴とする。【選択図】  図１
2008214010.tif 000002
【特許請求の範囲】
【請求項１】
印刷後に連続紙を積載するスタッカテーブルと、そのスタッカテーブルを上下に移動させる昇降機構を有する連続紙印刷装置のスタッカにおいて、前記スタッカテーブルをスタッカ本体より分離できる機構を設け、用紙運搬用トレイとしてオペレータが持ち運べるたことを特徴とする連続紙印刷装置のスタッカ。
【請求項２】
前記スタッカテーブルは、印刷後の連続紙を載った状態でオペレータが持ち上げることなく用紙積載・運搬用の台車に移動できることを特徴とする請求項１記載の連続紙印刷装置のスタッカ。
【発明の詳細な説明】
【技術分野】
【０００１】
本発明は、連続紙印刷装置の印刷後の用紙を積載するスタッカに関するものである。
【背景技術】
【０００２】
従来の連続紙印刷装置においては、印刷後に折りミシン目付き連続紙を折り畳み直して収納するスタッカテーブルと、スタッカテーブルを上下に移動させる昇降機構と、スタッカテーブルが上昇したときに水平に開き下降したときに閉じるサブテーブルを有する連続紙印刷装置のスタッカにおいて、サブテーブルの折りミシン目付き連続紙が折り畳み積まれる面側に傾斜部を設けたことを特徴とする連続紙印刷装置が知られている。
【０００３】
図３は、従来技術を示す説明図である。図中の１は連続紙、２はスイングフィン、３はパドル、４はスタッカテーブル、２３はサブテーブル、２４はペーパガイドである。
【０００４】
【特許文献１】特開２００１−１３０８１８号公報
【発明の開示】
【発明が解決しようとする課題】
【０００５】
従来の技術によると、印刷後の用紙が、種類、サイズ、連量、印刷量等により、オペレータが持ち難い場合が有った。また、印刷後の用紙の持ち難さと印刷用紙のサイズや重量で、オペレータに大きな負担がかかる場合が有った。
【０００６】
本発明は、前記問題を解決するためになされるものであり、その目的は、用紙の種類、サイズ、連量、印刷量等に関係なく、スタッカより印刷後の用紙を取出す時にオペレータに前記のような負担を与えることなく、印刷後のスタッカテーブルに積載された用紙を素早く取出し、運搬できる連続紙印刷装置のスタッカを提供することにある。
【課題を解決するための手段】
【０００７】
上記目的を達成するために本発明は、印刷後に連続紙を積載するスタッカテーブルと、そのスタッカテーブルを上下に移動させる昇降機構を有する連続紙印刷装置のスタッカにおいて、前記スタッカテーブルをスタッカ本体より分離できる機構を設け、用紙運搬用トレイとしてオペレータが持ち運べるたことを特徴とするものである。
【発明の効果】
【０００８】
本発明によれば、用紙の種類、サイズ、連量、印刷頁数等に関係なく、オペレータに大きな負担を与えることなく、印刷後のスタッカテーブルに積載された用紙を素早く取出し、運搬できる連続紙印刷装置のスタッカを提供することができる。
【発明を実施するための最良の形態】
【０００９】
以下、本発明の実施例を、図１、図２を用いて説明する。
【００１０】
折りミシン目付き連続紙１が上位装置、例えば電子写真方式印刷装置により印刷されて後に搬送され、ミシン目の折り方向に従いスウィングフィン２の揺動動作により振り分けられた後、回転するパドル３によりミシン目で折りたたまれ、スタッカテーブル４に積載される。
【００１１】
スタッカテーブル４には、電子写真式印刷装置の定着装置の熱、ローラ等により反り癖のついた折りミシン目付き連続紙１を安定して積載させるために、用紙反り対策部材５を設けている。尚、この用紙反り対策部材５は、用紙の種類などにより、反り癖の状態が異なるために何種類かの用紙反り対策部材５を用意しており、取り付け交換可能になっている。
【００１２】
また、折りミシン目付き連続紙１がスタッカテーブル４とパドル３の隙間から突き出るのを防止するために、用紙突き出し防止爪８とスタッカテーブル４に用紙突き出し防止爪逃げ溝７を有する。印刷終了後、折りミシン目付き連続紙１が積載されたスタッカテーブル４は、スタッカの最下部に下降し、印刷終了後の折りミシン目付き連続紙１の取出しが可能になる。
【００１３】
オペレータは、印刷終了後の折りミシン目付き連続紙１が積載されているスタッカテーブル４のスタッカテーブル引出しラッチ解除レバー１０を操作することにより、スタッカテーブル引出しラッチ１１をスタッカテーブル引出しラッチストッパ１２から開放する。また、スタッカテーブル車輪１５のスタッカテーブル車輪ブレーキ１３も同時に開放され、スタッカテーブル４はスタッカテーブル台座９上のガイドローラ１６に沿って引出し可能になる。
【００１４】
引出されたスタッカテーブル４は、スタッカテーブル分離ラッチストッパ１９でスタッカテーブル分離ラッチ１８に突き当たることにより引出し動作は止められる。オペレータはスタッカテーブル４に取り付いている取っ手６とスタッカテーブル分離レバー１７を握り持つことでスタッカテーブル分離ラッチ１８をスタッカテーブル分離ラッチストッパ１９から開放することが出来、印刷終了後の折りミシン目付き連続紙１が積載されているスタッカテーブル４をスタッカテーブル台座９より分離させ、持ち運びが可能になる。
【００１５】
尚、スタッカテーブル４を用紙運搬台として分離する時は、次の印刷業務に支障が無い様に予備のスタッカテーブル４を取り付けることで対応する。また、スタッカテーブル台座９より分離した印刷終了後の折りミシン目付き連続紙１が積載されているスタッカテーブル４は、スタッカテーブル車輪１５がスタッカ引出しラッチ解除レバー１０を操作しない時にはスタッカテーブル車輪ブレーキ１３がかかっているため、置いた場所に固定できる。
【００１６】
図２は、スタッカテーブル４に実装されているスタッカテーブル車輪１５の接地面の床からの高さと台車ブレーキ２２をかけている台車２５の荷台の床からの高さを同じ、又は、ほぼ同じにすることにより、印刷終了後の折りミシン目付き連続紙１が積載されているスタッカテーブル４をオペレータが持ち上げるという負担をかけることなく台車２１上に引出す動作のみで載せることができる。
【００１７】
図４は他の実施例を示す説明図である。印刷終了後の折りミシン目付き連続紙１が積載されるスタッカテーブル４は、その積載される折りミシン目付き連続紙の重量によっては、スタッカテーブル４との総重量がオペレータが持ち運ぶには大きく負担がかかってしまう場合があるので上位装置、例えば電子写真式印刷装置のＣＰＵ３０は、印刷する折りミシン目付き連続紙１の用紙連量データ３２、用紙サイズデータ３３、出力印刷頁データ３４を解析し、また、スタッカテーブル４を持ち上げないで台車２５に移動できる定位置に台車２５があるか否かを台車セットセンサ３１の状態を確認することで、印刷終了後の折りミシン目付き連続紙１が積載されたスタッカテーブル４をスタッカテーブル台座９から分離可能にするか否か判断する。もし、台車２５が定位置になく、スタッカテーブル４上に積載されている印刷終了後の折りミシン目付き連続紙１の重量が、例えばオペレータが持ち運ぶのに大きな負担を与える規制値を超える場合は、ＣＰＵ３０はドライバ２９を介しモータ２８によりスタッカテーブル分離ロックバー２７を制御し、スタッカテーブル４のロックプレート２６を遮り、スタッカテーブル４をスタッカテーブル台座９から分離出来ないようにすることで、オペレータに大きな負担をかけないことが可能になる。
【００１８】
また、この構成ではＣＰＵ３０はスタッカテーブル４に積載される印刷終了後の折りミシン目付き連続紙１の重量をオペレータに大きな負担がかからないように一定値以下にするように一回の印刷頁数を制御することも可能になる。
【００１９】
尚、以上の折りミシン目付き連続紙１上に印刷を行う上位装置（図示せず）の他の例としては、インパクト方式の印刷装置や、インクジェット方式の印刷装置等があげられる。また、スタッカテーブルに車輪を実装した図で説明したが、スタッカテーブルに車輪を実装しない構成でも同様の効果があげられる。
【図面の簡単な説明】
【００２０】
【図１】本発明を示す概略説明図である。
【図２】本発明の操作イメージ図である。
【図３】従来技術を示す説明図である。
【図４】本発明の他の実施例を示す説明図である。
【符号の説明】
【００２１】
１は連続紙、２はスイングフィン、３はパドル、４はスタッカテーブル、５は用紙反り対策部材、６は取っ手、７は用紙突き出し防止爪逃げ溝、８は用紙突き出し防止爪、９はスタッカテーブル台座、１０はスタッカテーブル引出しラッチ解除レバー、１１はスタッカテーブル引出しラッチ、１２はスタッカテーブル引出しラッチストッパ、１３はスタッカテーブル車輪ブレーキ、１４はガイドレール、１５はスタッカテーブル車輪、１６はガイドローラ、１７はスタッカテーブル分離レバー、１８はスタッカテーブル分離ラッチ、１９はスタッカテーブル分離ラッチストッパ、２０はスタッカテーブルセットセンサ、２２は台車ブレーキ、２３はサブテーブル、２４はペーパガイド、２５は台車、２６はロックプレート、２７はスタッカテーブル分離ロックバー、２８はモータ、２９はドライバ、３０はＣＰＵ、３１は台車セットセンサ、３２は用紙連量データ、３３は用紙サイズデータ、３４は出力印刷頁データである。
【図１】
2008214010.tif 000003
【図２】
2008214010.tif 000004
【図３】
2008214010.tif 000005
【図４】
2008214010.tif 000006